(57)【要約】【課題】  有線、無線で利用可能であるとともに、有線で使用中にスキャナ内部の充電式電池を充電出来るバーコードリーダ装置を提供する。【解決手段】  スキャナと通信ユニットとのデータの授受を行うデータ通信機能は、有線通信機能と無線通信機能との両方を備えており、スキャナは、有線通信機能と無線通信機能とを切り換える切換機能を有し、充電式電池を搭載しているので、有線通信形式、無線通信形式としても使用出来る。スキャナと外部機器との接続テーブルを介して充電式電池を充電するように構成した。スキャナから接続ケーブルを外して、スキャナを電源ユニットに載置すると、電源ユニットの充電手段を介して充電式電池が充電されるように構成した有線通信あるいは無線通信のいずれの形式のスキャナとしても使用することが出来るとともに、操作性がよく、スキャナを使用中に内部の充電式電池を充電することが出来る便利なバーコードリーダ装置である。【選択図】  図１
2005086459.tif 000002
【特許請求の範囲】
【請求項１】
バーコードを読み取る機能と、このバーコードデータを伝送するデータ通信機能とを有するスキャナと、
このスキャナからの前記バーコードデータを受信し、この受信したデータを外部機器へ伝送するとともに、この外部機器からの指令を受信して前記スキャナへ伝送するデータ通信機能を有する通信ユニットと、
前記スキャナと前記通信ユニットとへ電源を供給する電源ユニットと、
を有するバーコードリーダ装置において、
前記スキャナと前記通信ユニットとのデータ通信機能は、有線通信機能と無線通信機能との両方を有し、
前記スキャナは、前記有線通信機能と前記無線通信機能とを切り換える切換機能を有すること
を特徴とするバーコードリーダ装置。
【請求項２】
前記スキャナの有する前記切換機能は、前記外部機器及び前記電源ユニットと前記スキャナとの接続ケーブルの着脱により自動的に切り換わること
を特徴とする請求項１に記載のバーコードリーダ装置。
【請求項３】
前記スキャナは、
前記接続ケーブルを前記スキャナから外した場合に、前記スキャナに電源を供給する充電式電池と、
この充電式電池を充電するための充電機能と、
前記スキャナに供給する動作電源と前記充電機能を介して前記充電式電池の充電を制御する電源管理機能とを有し、
前記接続ケーブルが前記スキャナに接続されている時、前記接続ケーブルを介して前記電源ユニットから供給される電源は、前記電源管理機能により、前記スキャナに動作電源を供給するとともに、前記充電機能を介して前記充電式電池を充電するように構成したこと
を特徴とする請求項１〜請求項２にそれぞれ記載のバーコードリーダ装置。
【請求項４】
前記スキャナに前記電源管理機能を介して電源入力端子を設け、
前記電源ユニットに電源出力端子を設け、
前記スキャナから前記接続ケーブルを外して前記スキャナを前記電源ユニットに載置した時、前記充電式電池は、前記電源ユニットの前記電源出力端子と前記スキャナの前記電源入力端子と前記電源管理機能とを介して充電するように構成したこと
を特徴とする請求項１〜請求項３にそれぞれ記載のバーコードリーダ装置。
【発明の詳細な説明】
【技術分野】
【０００１】
この発明は、バーコードの読み取りを行うバーコードリーダ装置に関するものである。
【背景技術】
【０００２】
一般に、コンビニエンスストア等の店舗において、各種の商品等を管理するために、識別用のバーコードを印刷したラベルが、個々の商品等に貼着されている。そして、このバーコードラベルに印刷されたバーコードは、スキャナにより読み取られ、ホストコンピュータ等の外部機器に伝送され、ここで、種々の商品が集中管理されるように構成されている。そして、バーコードリーダ装置には、スキャナで読み取ったバーコードデータを伝送する形式を基準として分類すると、スキャナと通信ユニットとをケーブルで接続して伝送する有線通信形式のものと無線通信で伝送するワイヤレス形式（無線通信形式）のものとがある。
【０００３】
そして、従来の有線通信形式（図示せず）のものは、デコーダを内蔵した読み取りヘッド（スキャナ）、インタフェース及び電源のケーブル、置台により構成されている。そして、置台を除いて、その他の装置は、いずれも互いにケーブルで接続されており、読み取りヘッドで読み取られたバーコードデータは、すべてケーブルを介して授受される。
【０００４】
図５は、従来のワイヤレススキャナを用いたバーコードリーダ装置を示すもので、スキャナ７０と通信ユニット７１と電源ユニット７３と外部機器７２（ホストコンピュータ７２）とにより構成されている。そして、スキャナ７０は、ＩＲ光（赤外光）ワイヤレススキャナで、ＣＣＤラインセンサを使用したオートスキャン方式により、バーコードラベルをワンタッチで読み取る機能と、この読み取ったバーコードデータを通信ユニット７１へ転送することの出来る通信機能とを有している。そして、スキャナ７０は、充電式の二次電池７０ａを内蔵している。この二次電池７０ａは、後述する置台を兼ねた電源ユニット７３に、スキャナ７０を載置することにより充電されるように構成されている。
【０００５】
通信ユニット７１は、赤外（ＩＲ）光インタフェースと有線のシリアルインタフェースとキーボードインタフェースとを切り換えるＩ／Ｆインタフェース切換７４で切り換えるように構成されており、通信ユニット７１とスキャナ７０との間は、赤外光通信インタフェース７５で結ばれている。そして、通信ユニット７１とホストコンピュータ７２との間は、有線シリアルインタフェース７４で接続する機能を有している。従って、通信ユニット７１は、スキャナ７０とホストコンピュータ７２との間のデ−タを授受ための中継器である。
【０００６】
このように構成されているので、スキャナ７０で読み取ったバーコードデータは、赤外光通信インタフェース７５を介して通信ユニット７１へ伝送され、次いで、Ｉ／Ｆインタフェース７４を介してホストコンピュータ７２へ伝送される。又、ホストコンピュータ７２からの各種指令は、Ｉ／Ｆインタフェース７４のシリアルインタフェースを介して通信ユニット７１へ伝送され、又、この通信ユニット７１を介してスキャナ７０へと伝送する通信機能を有している。通信ユニット７１の電源は、後述する充電機能を有する置台としての電源ユニット７３のＡＣ／ＤＣ変換器７３ａから供給されている。
【０００７】
電源ユニット７３は、充電置台としての機能を有しており、スキャナ７０と通信ユニット７１とへＡＣ／ＤＣ変換器７３ａを介してＤＣ電源が供給されている。従って、スキャナ７０が充電置台に載置されると、内蔵されている２次電池７０ａが充電されるように構成されている。ホストコンピュータ７２は、このシステム全体の制御、メモリ機能等を行っている。
【０００８】
又、図６に示すように、特開２０００−２１５２６６号公報に記載の従来のワイヤレス形式のバーコードリーダ装置８０は、各部に電池から電流を供給する電源供給手段８１と、この電源供給手段８１の作動を指令する電源コントロール手段である電源キー８２と、読み取ったバーコード８３を電気信号に変換するセンサ部８４と、このセンサ部８４の出力からバーコードデータを読み取るマイクロプロセッサ８５と、バーコードデータを記憶するメモリ８６と、このメモリ８６に蓄積されたデータを外部機器にワイヤレスで送信するワイヤレス通信手段８７と、メモリ８６に記憶されたバーコード８３のデータを消去する消去手段８８と、電源供給手段８１からの電源が遮断された時でもメモリ８６に記憶されたデータを保護できるように電流を供給するバックアップ電流供給手段８９とにより構成されている。
【０００９】
このように構成されているので、まず、作業者が電源キー８２を押下すると、電源供給手段８１により電池から、センサ部８４、マイクロプロセッサ８５等へ電力が供給される。すると、センサ部８４でバーコード８３のイメージが電気信号に変換され、マイクロプロセッサ８５でバーコード８３のデータが読み取られる。マイクロプロセッサ８５で読み取ったバーコード８３のデータは、メモリ８６に記憶され、ワイヤレス通信手段８７により、外部機器に送信される。なお、送信されたデータは、消去手段８８によりメモリ８６から消去される。
【特許文献１】特開２０００−２１５２６６号公報
【発明の開示】
【発明が解決しようとする課題】
【００１０】
このように、構成されているので、前者の有線通信形式のものは、作業者がスキャナを所持して作業できる範囲は、ケーブルの長さにより制限されること、作業中にケーブルが邪魔になり、操作性が悪いこと等の問題がある。そこで、この問題を解決するために、図５及び図６に示すように、後者のワイヤレスの無線通信形式のものがある。しかしながら、一般には、未だ多くの有線通信形式のバーコードリーダ装置も普及しており、これらを無駄として破棄するには、経費上の問題がある。
【００１１】
一方、図５、図６に示すようなワイヤレスの無線通信形式のものは、スキャナに内蔵されている二次電池の容量が、長時間使用するには十分ではなかった。そのため、時には、作業者は、バーコードの読み取り作業を中断して二次電池を充電したり、あるいは二次電池を交換しなければならず、作業性が悪いという問題がある。
【００１２】
この発明の目的は、このような事情に鑑みてなされたもので、これらの問題を解決することの出来るバーコードリーダ装置を提供することにある。
【課題を解決するための手段】
【００１３】
請求項１に係わる発明は、バーコードを読み取る機能と、このバーコードデータを伝送するデータ通信機能とを有するスキャナと、このスキャナからのバーコードデータを受信し、この受信したデータを外部機器へ伝送するとともに、この外部機器からの指令を受信してスキャナへ伝送するデータ通信機能を有する通信ユニットと、スキャナと通信ユニットとへ電源を供給する電源ユニットとを有するバーコードリーダ装置において、
スキャナと通信ユニットとのデータ通信機能は、有線通信機能と無線通信機能との両方を有し、スキャナは、有線通信機能と無線通信機能とを切り換える切換機能を有することを特徴とするものである。
【００１４】
請求項２に係わる発明は、請求項１に係わる発明において、スキャナの有する切換機能は、外部機器及び電源ユニットとスキャナとの接続ケーブルの着脱により自動的に切り換わることを特徴とするものである。
【００１５】
請求項３に係わる発明は、請求項１〜請求項２に係わる発明において、スキャナは、接続ケーブルをスキャナから外した場合に、スキャナに電源を供給する充電式電池と、この充電式電池を充電するための充電機能と、スキャナに供給する動作電源と充電機能を介して充電式電池の充電を制御する電源管理機能とを有し、接続ケーブルがスキャナに接続されている時、接続ケーブルを介して電源ユニットから供給される電源は、電源管理機能により、スキャナに動作電源を供給するとともに、充電機能を介して充電式電池を充電するように構成したことを特徴とするものである。
【００１６】
請求項４に係わる発明は、請求項１〜請求項３に係わる発明において、スキャナに電源管理機能を介して電源入力端子を設け、電源ユニットに電源出力端子を設け、スキャナから接続ケーブルを外してスキャナを電源ユニットに載置した時、充電式電池は、電源ユニットの電源出力端子とスキャナの電源入力端子と電源管理機能とを介して充電するように構成したことを特徴とするものである。
【発明の効果】
【００１７】
請求項１に係わる発明のバーコードリーダ装置は、スキャナと通信ユニットとのデータ通信機能として有線通信機能と無線通信機能との両方を有し、スキャナは、有線通信機能と無線通信機能とを切り換える切換機能を有しているので、有線通信形式あるいは無線通信形式のバーコードリーダ装置のいずれの形式のものにも使用することが出来、汎用性がある。さらに、多くの普及している有線通信形式のバーコードリーダ装置は、有効に使用することが出来、経済効果は大である。
【００１８】
請求項２に係わる発明のバーコードリーダ装置では、スキャナの有する切換機能は、外部機器及び電源ユニットとスキャナとの接続ケーブルの着脱により自動的に切り換わるので、有線通信と無線通信とが、ワンタッチで切り替わり、操作性が良い。さらに、充電式電池の充電状態あるいは使用状態を自動的に切り換えることが出来る。
【００１９】
請求項３に係わる発明のバーコードリーダ装置では、スキャナは、接続ケーブルをスキャナから外した場合に、スキャナに電源を供給する充電式電池と、この充電式電池を充電するための充電機能と、スキャナに供給する動作電源と充電機能を介して充電式電池の充電を制御する電源管理機能とを有し、接続ケーブルがスキャナに接続されている時、接続ケーブルを介して電源ユニットから供給される電源は、電源管理機能により、スキャナに動作電源を供給するとともに、充電機能を介して充電式電池を充電するように構成したので、スキャナを有線通信形式で使用して、バーコードの読み取り作業中に搭載されている充電式電池が充電される。
【００２０】
従って、従来は充電式電池の充電中は、バーコードの読み取り作業が出来ないが、この発明では、充電式電池の充電時間中も作業をすることが出来る。又、スキャナを無線通信形式で使用していた場合に、充電式電池の電源が使用不可能な程度迄低下した場合には、スキャナをすぐ有線通信で使用することが出来る。又、有線通信形式あるいは無線通信形式のバーコードリーダ装置のいずれの形式のものにも使用することが出来、汎用性がある。
従来のような充電機能を備えた置台を必要とせず、あるいは、置台の構造を簡単にすることが出来る。又は、置台そのものをなくすことも出来る。
【００２１】
請求項４に係わる発明のバーコードリーダ装置は、スキャナに電源管理機能を介して電源入力端子を設け、電源ユニットに電源出力端子を設け、スキャナから接続ケーブルを外してスキャナを電源ユニットに載置した時、充電式電池は、電源ユニットの電源出力端子とスキャナの電源入力端子と電源管理機能とを介して充電するように構成したので、従来の無線通信形式のバーコードリーダ装置のスキャナの充電方法と同様に、置台にスキャナを載置することが出来るのでさらに汎用性が良い。
【発明を実施するための最良の形態】
【００２２】
このバーコードリーダ装置は、スキャナと通信ユニットとのデータの授受を行うデータ通信機能として、有線通信機能と無線通信機能との両方を備えており、さらに、スキャナは、有線通信機能と無線通信機能とを切り換える切換機能を有し、さらに、充電式電池を搭載しているので、有線通信形式のスキャナあるいは無線通信形式のスキャナのいずれの形式のものも使用することが出来るように構成し、さらに、スキャナと外部機器との接続テーブルを介して充電式電池を充電するように構成し、又、さらに、スキャナから接続ケーブルを外して、スキャナを電源ユニットに載置すると、電源ユニットの充電手段を介して充電式電池が充電されるように構成したので、有線通信あるいは無線通信のいずれの形式のスキャナとしての使い方が出来、汎用性があり、操作性がよく、その上、スキャナを使用中に内部の充電式電池を充電することが出来る便利なバーコードリーダ装置を実現した。
【実施例１】
【００２３】
この発明の第１の実施例を、図１〜図３に基づいて詳細に説明する。
図１は、この発明の実施例を示す要部構成図、図２はスキャナ１の詳細構成図、図３は通信ユニット２の詳細構成図である。
【００２４】
図１において、この発明のバーコードリーダ装置は、大きく分けてスキャナ１、外部機器とのデータの授受を行うデータ通信機能を有する通信ユニット２、各部へ電源を供給する電源ユニット３、外部機器であるホストコンピュータ４、データ授受が有線通信による場合にスキャナ１とホストコンピュータ４とを接続する接続ケーブル５とにより構成されている。接続ケーブル５は信号ケーブル５ａと電源ケーブル５ｂとが内包されている。なお、スキャナ１とホストコンピュータ４とが、接続ケーブル５を介して接続されて、有線通信形式によりデータの授受が行われている場合には、通信ユニット２は必要ではない。
【００２５】
スキャナ１は、バーコードを読み取るための読み取りヘッド部１１と、データ通信機能を有する有線通信手段１２と無線通信手段１３との両方を有している。有線通信手段１２は、スキャナ１とホストコンピュータ４とを接続ケーブル５（信号ケーブル５ａ）を介して有線通信によりデータの授受を行う有線通信機能を有している。又、無線通信手段１３は、スキャナ１と外部機器である通信ユニット２とを無線通信によりデータの授受を行う無線通信機能を有している。
【００２６】
さらに、スキャナ１には、このスキャナ１の各部に動作電源を供給する充電式電池１４と、電源ユニット３から接続ケーブル５（電源ケーブル５ｂ）を介して供給される電源により充電式電池１４を充電する充電器１５と、スキャナ１の動作電源の管理を行う電源管理手段１６と、スキャナ１の各部の制御及びホストコンピュータ４とのデータ授受の際の有線通信手段１２か無線通信手段１３かの切り換え及びその制御を行うＣＰＵ１７とを内蔵している。充電器１５は、充電式電池１４を充電するための充電機能を有しており、電源管理手段１６は、充電機能を介して充電式電池１４の充電を制御する電源管理機能を有している。
【００２７】
従って、有線通信の場合、即ち、スキャナ１と電源ユニット３とが接続ケーブル５（電源ケーブル５ｂ）で接続されている場合、電源管理手段１６は、電源ユニット３から供給される電源をスキャナ１の動作電源として各部に供給するとともに、充電器１５を介して充電式電池１４を直接充電するように制御している。
【００２８】
又、接続ケーブル５をスキャナ１から外した場合、即ち、スキャナ１からのバーコードデータの授受が、外部機器である通信ユニット２を介して無線通信で行われる場合、スキャナ１の動作電源は、充電式電池１４により供給される。
【００２９】
この実施例では、スキャナ１は、外部機器としてのホストコンピュータ４及び電源ユニット３とスキャナ１との接続ケーブル５の着脱により、自動的に有線通信機能と無線通信機能とが切り換わる切換機能をも有している。
【００３０】
実際にバーコード５１を読み取る場合について説明する。読み取りヘッド部１１は、図２に示すように、レンズ部５２、このレンズ部５２を介してバーコード５１を読み取るためのＣＣＤセンサ５３と、この読み取ったバーコードデータの信号を増幅するための増幅器５４と、バーコード５１を読み取るために光を照射するための棒状のＬＥＤランプ５５と、このＬＥＤランプ５５用のＬＥＤドライバ５６とから構成されている。なお、５７は、ＬＥＤ表示器で、スキャナ１の様々なステータス表示等に用いられる。５８は、ＣＰＵ１７の動作クロック用の発振器であり、この実施例では、４０ＭＨｚの発振器が用いられている。
【００３１】
通信ユニット２は、スキャナ１とデータの授受を行うデータ通信機能を有する有線通信手段２２と無線通信手段２１との両方を有している。無線通信手段２１は、スキャナ１の無線通信手段１３に対応してデータの授受を無線通信で行う無線通信機能を有し、有線通信手段２２は、ホストコンピュータ４とデータの授受を有線通信で行う有線通信機能を有している。さらに、この通信ユニット２を制御するＣＰＵ２３が内蔵されている。
【００３２】
図３に示すように、６１は、無線通信手段２１の初期化やリセットを行うためのクリアスイッチである。６２は、ＬＥＤ表示器であり、ＬＥＤ表示器５７と同様に、通信ユニット２の様々なステータス表示等に用いられる。６３は、ＣＰＵ２３の動作クロック用の発振器であり、発振器５８と同様に、この実施例では、４０ＭＨｚの発振器が用いられている。なお、この実施例では、スキャナ１の無線通信手段１３、通信ユニット２の無線通信手段２１としては、ＢＬＵＥＴＯＯＴＨ（登録商標）が使用されている。
【００３３】
なお、この実施例では、図２に示すように、スキャナ１の有線通信手段１２、通信ユニット２の有線通信手段２２、ホストコンピュータ４の有線通信手段４１との間で行われている有線通信としては、ＲＳ−２３２Ｃによるシリアル通信が使用されている。
【００３４】
電源ユニット３には、ＡＣ／ＤＣ変換器３１が内蔵されており、このＡＣ／ＤＣ変換器３１により商用のＡＣ電源から変換されたＤＣ電源出力は、配線２４を介して通信ユニット２に供給される。なお、この実施例ではＤＣ５Ｖが供給されている。２６は、クリアスイッチであり、無線通信手段２１として使用されているＢＬＵＥＴＯＯＴＨのペアリングをリセットするためのものである。
【００３５】
ホストコンピュータ４には、接続ケーブル５を介してスキャナ１の有線通信手段１２と通信ユニット２の有線通信手段２２とにそれぞれ対応してデータの授受を行う有線通信手段４１が内蔵されている。
【００３６】
次に、図１〜図３に基づいて、作用動作について詳細に説明する。
まず、スキャナ１とホストコンピュータ４とが、接続ケーブル５により接続され、その間のデータの授受が、有線通信で行われる場合について説明する。
【００３７】
電源ユニット３がＡＣ商用電源に接続されると、ＡＣ／ＤＣ変換器３１を介して各部にＤＣ電源が供給される。スキャナ１で使用される電源は、電源ユニット３から接続ケーブル５を介して電源管理手段１６に入力される。この電源管理手段１６に入力した電源は、スキャナ１の動作電源としてスキャナ１の各部に供給され、スキャナ１はバーコード５１を読み取り可能な動作状態となる。一方、電源管理手段１６に入力した電源の余剰分は、充電器１５を介して充電式電池１４に充電される。さらに、電源がスキャナ外部から供給された事を示すステータス信号が電源管理手段１６からＣＰＵ１７に送信される。
【００３８】
一方、スキャナ１とホストコンピュータ４とのデータの授受が、接続ケーブル５を介して有線通信で行われている場合、有線であるかどうかの判断は、電源管理手段１６からのステータス信号により行われる。なお、有線であるかどうかの判断は、このシリアル通信の際のハンドシェイクが正常に行われているかどうかで判断しても良い。あるいは、接続ケーブル５のコネクタ（図示せず）のピンとスキャナ１側のコネクタとの接触を感知することにより判断するようにしても良い。
【００３９】
スキャナ１が動作状態になると、図２に示すように、ＣＰＵ１７の制御の基に、バーコード５１のイメージが、レンズ５２を介してＣＣＤセンサ５３により電気信号に変換され、増幅器５４で増幅され、ＣＰＵ１７でバーコード５１のデータが読み取られる。ＣＰＵ１７は、この読み取ったデータを記憶する。次いで、このデータは、有線通信手段１２、接続ケーブル５を介してホストコンピュータ４へ伝送される。
このように、有線通信形式でデータの授受が行われている場合には、スキャナ１によるデータの読み取り作業と、充電式電池１４の充電とが同時に実行されているので、スキャナ１が、無線通信で使用される場合、通常は、作業をすることの出来ない充電式電池の充電時間中も作業をすることが出来る。
【００４０】
次に、スキャナ１から接続ケーブル５が切り離され、データの授受が無線通信機能で実行されている場合の作用動作について説明する。
接続ケーブル５がスキャナ１から外されると、スキャナ１のデータ通信機能は、自動的に無線通信機能を有する無線通信手段１３へ切り換わるとともに、スキャナ１で使用される電源は、電源管理手段１６により、充電式電池１４に切り換わる。充電式電池１４に切り換わると同時に、この充電式電池１４から電源管理手段１６を介してスキャナ１の各部に動作電源が供給され、スキャナ１はバーコード５１を読み取り可能な動作状態となる。さらに、電源がスキャナ１の内部から供給された事を示すステータス信号が、電源管理手段１６からＣＰＵ１７に送信される。これらの切換は同様に、ワンタッチで切り換えられる。
【００４１】
一方、電源ユニット３がＡＣ商用電源に接続されると、ＡＣ／ＤＣ変換器３１を介して通信ユニット２へＤＣ電源が供給される。
【００４２】
スキャナ１とホストコンピュータ４とのデータの授受は、スキャナ１の無線通信手段１３と通信ユニット２の無線通信手段２１との無線通信、ＣＰＵ２３、信号伝送用の配線２５を介してホストコンピュータ４の有線通信手段４１との有線通信で行われる。このとき、無線であるかどうかの判断は、電源管理手段１６からのステータス信号により行われる。なお、有線通信の場合とは逆に、シリアル通信の際のハンドシェイクが正常に行われないことにより無線であるかどうかの判断がなされるように構成してもよい。
【００４３】
スキャナ１が動作状態になると、上記した有線通信の場合と同様に、ＣＰＵ１７の制御の基に、バーコード５１のイメージが、読み取りヘッド部１１のレンズ５２を介してＣＣＤセンサ５３により電気信号に変換され、増幅器５４で増幅され、ＣＰＵ１７でバーコード５１のデータが読み取られる。ＣＰＵ１７は、この読み取ったデータを記憶するとともに、無線通信手段１３を介して外部機器である通信ユニット２へ送信する。
【００４４】
この送信されたデータは、通信ユニット２の無線通信手段２１により受信されるとともに、ＣＰＵ２３に記憶され、次いで、有線通信手段２２を介してホストコンピュータ４の通信手段４１へと配線２５を介して伝送される。
【実施例２】
【００４５】
この発明の第２の実施例を、図４に基づいて説明する。第２の実施例の場合では、通信ユニット２と電源ユニット３とは、置台９０の内部に配設されている。そして、置台９０には、電源ユニット３のＡＣ／ＤＣ変換器３１と接続されている電源出力端子９１が設けられている。一方、スキャナ１には、電源ユニット３の電源出力端子９１に対応する電源入力端子１８が設けられており、この電源入力端子１８は、電源用の配線１９を介して電源管理手段１６に接続されている。
【００４６】
従って、スキャナ１から接続ケーブル５を外し、電源ユニット３が配設されている置台９０にスキャナ１が載置されると、電源ユニット３の電源出力端子９１とスキャナ１の電源入力端子１８とが接触して、充電式電池１４は、電源管理手段１６を介して電源ユニット３のＡＣ／ＤＣ変換器３１から充電するように構成されている。
【００４７】
なお、スキャナ１は、図５に示すような一般に販売されているワイヤレス形式のスキャナと同様に使用することができるので、従来のバーコードリーダ装置の通信ユニットと電源ユニットとを利用することができる。従って、接続ケーブルを外してワイヤレス形式とした状態で、スキャナ１で読み取ったバーコードデータは、無線通信（図５の場合には、赤外光通信インタフェース７５）で通信ユニットに伝送され、次いで、有線で、ホストコンピュータへ伝送される。
【００４８】
なお、この実施例では、置台９０に電源出力端子９１を設けたが、置台は必ずしも必要ではなく、電源ユニット３の外形を置台９０の構造に形成した場合には、この電源ユニット３に直接、電源出力端子９１ａを設けてもよい。
【産業上の利用可能性】
【００４９】
この発明によるバーコードリーダ装置は、コンビニエンスストア等の商品管理や、書店における書籍管理等、商品識別用にバーコードを利用しているすべての商品の管理に利用することが出来る。
【図面の簡単な説明】
【００５０】
【図１】この発明の第１の実施例の実施例を示す要部構成図である。
【図２】この発明の第１の実施例を示すもので、有線通信で使用する場合の詳細構成図である。
【図３】この発明の第１の実施例を示すもので、図１に示す通信ユニット２の詳細構成図である。
【図４】この発明の第２の実施例を示す要部構成図である。
【図５】従来例を示す構成図である。
【図６】従来例を示す構成図である。
【符号の説明】
【００５１】
１            スキャナ
２            通信ユニット
３            電源ユニット
４            ホストコンピュータ
５            接続ケーブル
１２、２２    有線通信手段
１３、２１    無線通信手段
１４          充電式電池
１５          充電器
１６          電源管理手段
１８          電源入力端子
９１          電源出力端子
【図１】
2005086459.tif 000003
【図２】
2005086459.tif 000004
【図３】
2005086459.tif 000005
【図４】
2005086459.tif 000006
【図５】
2005086459.tif 000007
【図６】
2005086459.tif 000008